(57)【要約】【課題】グロメット本体からプロテクタが抜けることを防止しながらグロメット本体にプロテクタを挿入する際の作業性を向上可能なグロメットの提供。【解決手段】グロメットは、弾性材料から構成されると共に中空筒形状を有するグロメット本体１００と、グロメット本体の中空部に収容されるプロテクタ３００と、を備える。プロテクタ３００は、中空部１０３の奥側に収容される奥側端部と、中空部１０３の開口端側に収容される開口端側端部と、収容時にグロメット本体に係合するプロテクタ側係合部３３０と、を有する。グロメット本体１００は、プロテクタ側係合部３３０に対してプロテクタの分離を規制する規制力を及ぼすグロメット本体側係合部１０７を有し、且つ、開口端側端部に対して規制力を及ぼす構造を有さない。【選択図】図３
2018185950.tif 000002
【特許請求の範囲】
【請求項１】
弾性材料から構成されると共に中空筒形状を有するグロメット本体と、前記グロメット本体の中空部に収容されるプロテクタと、を備えたグロメットであって、
前記プロテクタは、
前記中空部の奥側に収容される奥側端部と、前記中空部の開口端側に収容される開口端側端部と、収容時に前記グロメット本体に係合するプロテクタ側係合部と、を有し、
前記グロメット本体は、
前記プロテクタ側係合部に対して前記プロテクタの分離を規制する規制力を及ぼすグロメット本体側係合部を有し、且つ、前記開口端側端部に対して前記規制力を及ぼす構造を有さない、
グロメット。
【請求項２】
請求項１に記載のグロメットにおいて、
前記グロメット本体は、
屈曲した形状を有する前記中空部を有し、
前記プロテクタは、
前記中空部の形状に沿って屈曲箇所から一方側に延びる第１プロテクタ部と、前記屈曲箇所から他方側に延びる第２プロテクタ部と、を有し、
前記プロテクタ側係合部は、
前記第１プロテクタ部の外壁面と前記第２プロテクタ部の外壁面とを繋ぐリブ状の形状を有する、
グロメット。
【発明の詳細な説明】
【技術分野】
【０００１】
本発明は、弾性材料から構成されると共に中空筒形状を有するグロメット本体と、グロメット本体の中空部に収容されるプロテクタと、を備えたグロメット、に関する。
【背景技術】
【０００２】
従来から、車両等に電線を配索する際に止水等を目的として用いられるグロメットとして、中空筒形状を有する弾性体（グロメット本体）の中空部に支持体（プロテクタ）を収容したグロメットが提案されている。例えば、そのような構成を有する従来のグロメットの一つは、車両のドア等の被取付パネルに対してグロメット本体を押圧接触するように固定されることにより、グロメット本体の外壁面と被取付パネルの取付面との間を止水するようになっている（例えば、特許文献１を参照。）。
【０００３】
なお、この種のグロメットは、被取付パネルの貫通孔に配置されるグロメットとの区別のため、「貫通レスグロメット」と呼ばれる場合もある。
【先行技術文献】
【特許文献】
【０００４】
【特許文献１】特開２０１５−２０４２５４公報
【発明の概要】
【発明が解決しようとする課題】
【０００５】
上述した従来のグロメットでは、グロメット本体の中空部の一方の開口端である挿入口を通じ、プロテクタが中空部に挿入される。このグロメットでは、グロメット本体に収容されたプロテクタの位置ズレ（ひいては、意図しない分離）を防ぐため、挿入口の縁部から挿入口を塞ぐように延出するカバー部により、プロテクタの開口端側端部が覆われるようになっている。
【０００６】
ところが、従来のグロメットでは、このカバー部の存在に起因し、挿入口の開口面積がグロメット本体に対して小さくなっている。そのため、グロメット本体の中空部にプロテクタを挿入するとき、作業者がカバー部を押し広げながらプロテクタを挿入する等の作業が必要となる。その結果、グロメット本体にプロテクタを挿入する作業性が低下する。
【０００７】
本発明は、上述した事情に鑑みてなされたものであり、その目的は、グロメット本体からプロテクタが抜けることを防止しながらグロメット本体にプロテクタを挿入する際の作業性を向上可能なグロメット、を提供することにある。
【課題を解決するための手段】
【０００８】
前述した目的を達成するために、本発明に係るグロメットは、下記（１）〜（２）を特徴としている。
（１）
弾性材料から構成されると共に中空筒形状を有するグロメット本体と、前記グロメット本体の中空部に収容されるプロテクタと、を備えたグロメットであって、
前記プロテクタは、
前記中空部の奥側に収容される奥側端部と、前記中空部の開口端側に収容される開口端側端部と、収容時に前記グロメット本体に係合するプロテクタ側係合部と、を有し、
前記グロメット本体は、
前記プロテクタ側係合部に対して前記プロテクタの分離を規制する規制力を及ぼすグロメット本体側係合部を有し、且つ、前記開口端側端部に対して前記規制力を及ぼす構造を有さない、
グロメットであること。
（２）
上記（１）に記載のグロメットにおいて、
前記グロメット本体は、
屈曲した形状を有する前記中空部を有し、
前記プロテクタは、
前記中空部の形状に沿って屈曲箇所から一方側に延びる第１プロテクタ部と、前記屈曲箇所から他方側に延びる第２プロテクタ部と、を有し、
前記プロテクタ側係合部は、
前記第１プロテクタ部の外壁面と前記第２プロテクタ部の外壁面とを繋ぐリブ状の形状を有する、
グロメットであること。
【０００９】
上記（１）の構成のグロメットによれば、プロテクタの意図しない分離を防ぐための規制力は、グロメット本体側係合部からプロテクタ側係合部に及ぼされ、プロテクタの開口端側端部に対して規制力を及ぼす構造は存在しない。そのため、従来のグロメットにおける構造（挿入口を塞ぐように延出するカバー部を有する構造）に比べ、グロメット本体の中空部にプロテクタを挿入する際の作業が容易になる。
【００１０】
したがって、本構成のグロメットは、グロメット本体からプロテクタが抜けることを防止しながらグロメット本体にプロテクタを挿入する際の作業性を向上可能である。
【００１１】
上記（２）の構成のグロメットによれば、プロテクタ側係合部が、第１プロテクタ部の外壁面と第２プロテクタ部の外壁面とを繋ぐリブ状の形状を有する。そのため、プロテクタ側係合部が、プロテクタをグロメット本体に係止する機能だけでなく、第１プロテクタ部と第２プロテクタ部の接続箇所を補強する機能も有することになる。よって、本構成のグロメットは、意図しない分離を防ぐことに加えて強度に優れたプロテクタを有することになる。
【発明の効果】
【００１２】
本発明によれば、グロメット本体からプロテクタが抜けることを防止しながらグロメット本体にプロテクタを挿入する際の作業性を向上可能なグロメット、を提供できる。
【００１３】
以上、本発明について簡潔に説明した。更に、以下に説明される発明を実施するための形態（以下「実施形態」という。）を添付の図面を参照して通読することにより、本発明の詳細は更に明確化されるであろう。
【図面の簡単な説明】
【００１４】
【図１】図１は、本発明の実施形態に係るグロメット全体の斜視図である。
【図２】図２（ａ）は、管状部の図示を省略したグロメットを前方からみた斜視図であり、図２（ｂ）は、管状部の図示を省略したグロメットを後方からみた斜視図である。
【図３】図３は、グロメットを構成するグロメット本体、プロテクタ、及び、アウタの斜視図である。
【図４】図４（ａ）は、カバーが開いた状態にあるプロテクタの斜視図であり、図４（ｂ）は、カバーが閉じた状態にあるプロテクタの斜視図である。
【図５】図５（ａ）は、プロテクタが収容されたグロメット本体における図６のＡ−Ａ断面に相当する断面を示した斜視図であり、図５（ｂ）は、プロテクタが収容されたグロメット本体における図６のＡ−Ａ断面に相当する断面を示した上面図である。
【図６】図６は、グロメットにおける挿入方向に沿った主要断面図である。
【図７】図７（ａ）は、グロメットにおける図６のＡ−Ａ断面に相当する断面を示した斜視図であり、図７（ｂ）は、グロメットにおける図６のＡ−Ａ断面に相当する断面を示した上面図である。
【図８】図８は、グロメットの６面図である。
【発明を実施するための形態】
【００１５】
＜実施形態＞
以下、図面を参照しながら、本発明の実施形態に係るグロメットについて説明する。
【００１６】
図１に示すように、本発明の実施形態に係るグロメットは、グロメット本体１００と、グロメット本体１００に一体に接続された管状部２００と、グロメット本体１００に挿入・収容されるプロテクタ３００と、グロメット本体１００に取り付けられるアウタ４００と、を備える。
【００１７】
本発明の実施形態に係るグロメットは、典型的には、車両のドア等の被取付パネル（インナパネル）の取付面（図示省略）に対して押圧接触するように取り付けられて、前記取付面との間を止水すると共に、被取付パネルを境に区画される車内空間と車外空間とに亘ってワイヤハーネス（図示省略）を配策するために使用される。本発明の実施形態に係るグロメットは、被取付パネルに、ワイヤハーネスが貫通する貫通孔を有さないいわゆる貫通レスタイプのグロメットである。
【００１８】
以下、説明の便宜上、図１に示すように、「押圧方向」、「挿入方向」、及び、「幅方向」を定義する。「押圧方向」、「挿入方向」、及び「幅方向」は、互いに直交している。押圧方向は、グロメット本体１００が被取付パネルの取付面に対して押圧される方向に対応し、挿入方向は、プロテクタ３００がグロメット本体１００に挿入される方向に対応している。
【００１９】
本発明の実施形態に係るグロメットは、例えば、上記のように車両のドアの被取付パネル（インナパネル）に取り付けられる場合、図１に示すように、「押圧方向」、「挿入方向」、及び、「幅方向」がそれぞれ車両前後方向、車両幅方向、及び、車両上下方向に対応する向きに、取り付けられる。以下、本発明の実施形態に係るグロメットを構成する各部材について順に説明していく。説明の便宜上、図２に示すように、「押圧方向」について更に「上」及び「下」を定義し、「挿入方向」について更に「前」及び「後」を定義する。
【００２０】
先ず、図１〜３，５〜８（主として図３）を参照しながら、グロメット本体１００について説明する。グロメット本体１００は、例えば、ゴムや熱可塑性エラストマー等の剛性の低い可撓性の弾性材料（例えば、エチレン・プロピレン・ジエンゴム（ＥＰＤＭ）等）により全体的に一体形成されている。
【００２１】
グロメット本体１００は、上壁部１０１及び下壁部１０２を有する。上壁部１０１及び下壁部１０２の双方は、押圧方向からみて、挿入方向に延びると共に、前端面が円弧状に前方へ突出し且つ後端面が幅方向に直線状に延びた、ほぼ同じ形状を有する。上壁部１０１は、平板状の形状を有し、下壁部１０２は、挿入方向に沿って幅方向中央部が下方に突出するいわゆる船底状の形状を有する。
【００２２】
上壁部１０１及び下壁部１０２は、幅方向両側縁、及び前端縁が、全域に亘って連続して一体に接続されている。この結果、上壁部１０１と下壁部１０２との間には、挿入方向に延びる第１中空部１０３（図２（ｂ）及び図６を参照）が形成され、上壁部１０１及び下壁部１０２（即ち、グロメット本体１００）の後端面は、第１中空部１０３と連通する開口部となっている。この開口部は、プロテクタ３００を挿入する際の挿入口１０４として機能する。
【００２３】
上壁部１０１における、挿入方向の中央より前側、且つ、幅方向の中央付近の位置には、上壁部１０１から略角筒状に上方に向けて立ち上がる接続部１０５が形成されている。略角筒状の接続部１０５の内部には、押圧方向に延びる第２中空部１０６が形成されている。上壁部１０１における接続部１０５に対応する部分は開口している。この結果、図６に示すように、第１中空部１０３の前端部と第２中空部１０６の下端部とが連通しており、グロメット本体１００の内部で、第１中空部１０３の後端である挿入口１０４と、第２中空部１０６の上端開口と、が連通する１つの中空部が形成されている。このように、グロメット本体１００は、弾性体からなる筒状体を構成している。
【００２４】
略角筒状の接続部１０５において、挿入方向に延びる一対の側壁は、幅方向に延びる前壁及び後壁より肉厚になっている。図３に示すように、接続部１０５の各側壁の内壁面には、複数（本例では、２つ）の第１グロメット本体側凹部１０７が、挿入方向において間隔を空けて形成され、接続部１０５の各側壁の外壁面には、複数（本例では、２つ）の第２グロメット本体側凹部１０８が、挿入方向において間隔を空けて形成されている。
【００２５】
各第１グロメット本体側凹部１０７は、接続部１０５の側壁の内壁面において、幅方向外側に窪むと共に、押圧方向における下端から途中位置までに亘って押圧方向に延びている。各第２グロメット本体側凹部１０８は、接続部１０５の側壁の外壁面において、幅方向内側に窪むと共に、押圧方向における下端から上端までに亘って押圧方向に延びている。
【００２６】
図５（ｂ）及び図７（ｂ）に示すように、接続部１０５の各側壁において、複数の第１グロメット本体側凹部１０７と第２グロメット本体側凹部１０８とは、挿入方向において交互に位置し、且つ、双方の底部付近が幅方向においてオーバラップするように（挿入方向において重なるように）、互いに隣接して配置されている。換言すれば、接続部１０５の各側壁において、挿入方向において隣り合う第１、第２グロメット本体側凹部１０７，１０８の間には、接続部１０５の側壁の一部が介在している。
【００２７】
図６及び図８に示すように、下壁部１０２における、挿入方向において接続部１０５の後壁に対応する位置には、幅方向の略全域に亘って、下方に突出するリップ部１０９が一体形成されている。リップ部１０９は、グロメット本体１００が被取付パネルの取付面に対して押圧接触するように取り付けられた状態にて、前記取付面に密着して前記取付面との間を止水する機能を有する。
【００２８】
次いで、図１を参照しながら、管状部２００について説明する。管状部２００は、その一端部２０１がグロメット本体１００の接続部１０５の上端部（図２，３，６，８を参照）と一体に接続された、上方（図１では、車両前後方向）に延びる蛇腹状のチューブである。
【００２９】
管状部２００の内部空間は、第２中空部１０６（即ち、グロメット本体１００の中空部）と連通している。よって、グロメット本体１００及び管状部２００の内部で、第１中空部１０３の後端である挿入口１０４と、管状部２００の他端側開口と、が連通する１つの中空部が形成されている。管状部２００の他端側開口には、他の部材（典型的には、車体側の部材）に接続されるグロメット２０３が設けられている。
【００３０】
グロメット本体１００の中空部（第１中空部１０３＋第２中空部１０６）には、プロテクタ３００が収容されると共に、プロテクタ３００の内部に挿通されたワイヤハーネスが、グロメット本体１００及び管状部２００の中空部（第１中空部１０３＋第２中空部１０６＋管状部２００の内部空間）を貫通するように配策されるようになっている（詳細は後述される）。
【００３１】
次いで、図１〜８（主として図４）を参照しながら、プロテクタ３００について説明する。プロテクタ３００は、グロメット本体１００の中空部を挿通するワイヤハーネスを保持し保護するための部材である。プロテクタ３００は、例えば、グロメット本体１００より剛性の高いポリプロピレン（ＰＰ）等の合成樹脂材料により全体的に一体形成されている。
【００３２】
プロテクタ３００は、挿入方向に延びる第１プロテクタ部３１０と、第１プロテクタ部３１０の挿入方向の前端を含む前側部分から上方向に向けて延びる第２プロテクタ部３２０と、を有する。プロテクタ３００がグロメット本体１００に収容された状態において、第１プロテクタ部３１０は第１中空部１０３に収容される部分であり、第２プロテクタ部３２０は第２中空部１０６に収容される部分である。
【００３３】
第１プロテクタ部３１０は、略平板状の底壁部３１１を有する。第１プロテクタ部３１０を第１中空部１０３に収容可能とするため、底壁部３１１は、押圧方向からみて、グロメット本体１００を相似的に若干縮小した形状（具体的には、前端面が円弧状に前方へ突出し且つ後端面が幅方向に直線状に延びた形状）を有する。
【００３４】
底壁部３１１における、幅方向の途中位置であって幅方向中央に対して幅方向に対称な位置には、上方に立ち上がると共に底壁部３１１の挿入方向全域に亘って挿入方向に延びる一対の側壁部３１２が形成されている。一対の側壁部３１２のそれぞれの前端には、更に前方に延びる前壁部３１３が形成されている。よって、底壁部３１１と一対の側壁部３１２とで構成された、挿入方向に延びるＵ字状の溝は、前端が前壁部３１３に繋がり、後端が開放されている。このＵ字状の溝にワイヤハーネスが配置される（詳細は後述される）。
【００３５】
第２プロテクタ部３２０は、一対の側壁部３１２の挿入方向の前端を含む前側部分から連続して上方に延びる一対の側壁部３２１と、前壁部３１３から連続して略円弧状に上方に延びる前壁部３２２と、で構成されている。一対の側壁部３２１の前端は、前壁部３２２によって連結されている。
【００３６】
第２プロテクタ部３２０を第２中空部１０６に収容可能とするため、一対の側壁部３２１及び前壁部３２２は、押圧方向からみて、グロメット本体１００の角筒状の接続部１０５の一対の側壁及び前壁の内壁面に対して相似的に若干縮小した形状を有する。第２プロテクタ部３２０の上端面（即ち一対の側壁部３２１の上端面）は、第１プロテクタ部３１０の上端面（即ち、一対の側壁部３１２の上端面）より上方に位置している。このため、一対の側壁部３２１の後端面３２１ａはそれぞれ段部を構成している。
【００３７】
側壁部３２１の外壁面（幅方向外側面）には、複数（本例では、２つ）のプロテクタ側凸部３３０が、挿入方向において間隔を空けて形成されている。各プロテクタ側凸部３３０は、幅方向外側に突出すると共に、前壁部３１３と側壁部３２１同士を繋ぐように、前壁部３１３の上面から側壁部３２１の上端までに亘って押圧方向に延びている。プロテクタ側凸部３３０は、プロテクタ３００がグロメット本体１００に収容された状態において、第１グロメット本体側凹部１０７に嵌合する部分である（詳細は後述される）。
【００３８】
底壁部３１１における挿入方向の後側部分における幅方向の一方側には、ヒンジ部３４１を介して、略矩形平板状のカバー３４０が一体に接続されている。カバー３４０は、ヒンジ部３４１を介して、開状態（図４（ａ））と閉状態（図４（ｂ））との間で開閉可能となっている。カバー３４０の閉状態では、上述した底壁部３１１と一対の側壁部３１２とで構成されたＵ字状の溝における挿入方向の後側部分が、カバー３４０によって塞がれるようになっている。
【００３９】
カバー３４０の所定位置には、挿入方向に沿って複数（本例では、２つ）の係止突起３４２が形成されている。カバー３４０の閉状態において、複数の係止突起３４２は、底壁部３１１の所定位置にて挿入方向に沿って形成された複数（本例では、２つ）の係止孔（貫通孔）３５０にそれぞれ挿入され係止されるようになっている。これにより、閉状態にあるカバー３４０が意図せず開くことが抑制されるようになっている。
【００４０】
底壁部３１１の後端面には、幅方向において一対の側壁部３１２の内側領域から後方且つ下方に傾斜して延びる結束部３６０（図２（ｂ）等を参照）が形成されている。結束部３６０は、上述したＵ字状の溝に載置されたワイヤハーネスを結束して固定するための部分である（詳細は後述される）。
【００４１】
次いで、図１〜３，６〜８（主として図３）を参照しながら、アウタ４００について説明する。アウタ４００は、グロメット本体１００を、被取付パネルの取付面に向けて押圧しながら前記取付面に固定するための部材である。アウタ４００は、例えば、グロメット本体１００より剛性の高いポリプロピレン（ＰＰ）等の合成樹脂材料により全体的に一体形成されている。
【００４２】
アウタ４００は、幅方向に延びる平板状の形状を有する。アウタ４００の幅方向中央部の前面には、後方に向けて矩形状に窪んだ窪み部４０１が形成されている。窪み部４０１は、グロメット本体１００の角筒状の接続部１０５に取り付けられる部分である。よって、窪み部４０１は、押圧方向からみて、接続部１０５の一対の側壁及び後壁の外壁面に対応する形状を有する。
【００４３】
窪み部４０１の一対のそれぞれの側壁の内壁面（幅方向内側面）には、複数（本例では、２つ）のアウタ側凸部４０２が、挿入方向において間隔を空けて形成されている。各アウタ側凸部４０２は、幅方向内側に突出すると共に、窪み部４０１の側壁の押圧方向全域亘って押圧方向に延びている。アウタ側凸部４０２は、アウタ４００がグロメット本体１００に取り付けられた状態において、第２グロメット本体側凹部１０８に嵌合する部分である（詳細は後述される）。
【００４４】
アウタ４００の幅方向の両端部には、アウタ４００（換言すると、グロメット本体１００）を被取付パネルの取付面に固定するための一対のボルト穴４０３が形成されている。
【００４５】
次いで、上記のように構成された本発明の実施形態に係るグロメットの組み付けについて説明する。
【００４６】
先ず、グロメット本体１００及び管状部２００の中空部（第１中空部１０３＋第２中空部１０６＋管状部２００の内部空間）を貫通するように、ワイヤハーネスが挿通される。
【００４７】
次いで、プロテクタ３００において、カバー３４０の閉状態にて、上述したＵ字状の溝に、グロメット本体１００の挿入口１０４から導出されるワイヤハーネスが配置され、ワイヤハーネスが配置された状態でカバー３４０が閉じられる。
【００４８】
ワイヤハーネスにおけるプロテクタ３００の後端から外部に導出される部分は、結束部３６０（図２（ｂ）等を参照）に結束バンド等を利用して結束・固定される。このように、カバー３４０と結束部３６０との協働によって、プロテクタ３００の内部にてワイヤハーネスが確実に保持される。
【００４９】
次いで、このようにワイヤハーネスが保持されたプロテクタ３００が、グロメット本体１００の挿入口１０４から、グロメット本体１００を変形させながら、グロメット本体１００の中空部（第１中空部１０３＋第２中空部１０６）に挿入・収容される。
【００５０】
プロテクタ３００がグロメット本体１００に収容完了された状態では、図６に示すように、第１プロテクタ部３１０が第１中空部１０３に収容され、第２プロテクタ部３２０が第２中空部１０６に収容される。
【００５１】
加えて、図５に示すように、複数のプロテクタ側凸部３３０が対応する第１グロメット本体側凹部１０７にそれぞれ嵌合される。このとき、図５（ａ）に示すように、一対の側壁部３２１の後端面３２１ａが、接続部１０５の後壁の内壁面と接触している。このように、プロテクタ側凸部３３０と第１グロメット本体側凹部１０７との嵌合、及び、側壁部３２１の後端面３２１ａと接続部１０５の後壁の内壁面との接触によって、グロメット本体１００の中空部からプロテクタ３００が意図せず抜けることが防止され得る。
【００５２】
また、プロテクタ３００がグロメット本体１００に収容完了された状態において、プロテクタ３００の後端部がグロメット本体１００の挿入口１０４に覆われていない。このため、グロメット本体１００の中空部にプロテクタ３００を挿入する際の作業が容易になる。
【００５３】
次いで、アウタ４００の窪み部４０１がグロメット本体１００の接続部１０５に取り付けられることで、アウタ４００がグロメット本体１００に取り付けられる。アウタ４００のグロメット本体１００への取り付けが完了された状態では、図７に示すように、複数のアウタ側凸部４０２が対応する第２グロメット本体側凹部１０８にそれぞれ嵌合される。
【００５４】
ここで、上述したように、接続部１０５の各側壁において、挿入方向において隣り合う第１、第２グロメット本体側凹部１０７，１０８の間には、弾性体である接続部１０５の側壁の一部が介在している。このため、図７（ｂ）に示すように、第１グロメット本体側凹部１０７にプロテクタ側凸部３３０が嵌合され、第２グロメット本体側凹部１０８にアウタ側凸部４０２が嵌合された状態では、プロテクタ側凸部３３０とアウタ側凸部４０２とが、挿入方向に沿って弾性体である接続部１０５一部を介在させて隣接する。
【００５５】
これにより、プロテクタ側凸部３３０とアウタ側凸部４０２とが接続部１０５の一部を介して互いに押し付け合うことになる。その結果、プロテクタ側凸部３３０が第１グロメット本体側凹部１０７から抜けにくく、アウタ側凸部４０２が第２グロメット本体側凹部１０８から抜けにくくなる。よって、グロメット本体１００、プロテクタ３００、及びアウタ４００が強固に連結される。
【００５６】
そして、このようにグロメット本体１００（＋管状部２００）、プロテクタ３００、及びアウタ４００が連結されることで、ワイヤハーネスが挿通された本発明の実施形態に係るグロメットが完成する。このグロメットは、アウタ４００の一対のボルト穴４０３を利用して、アウタ４００（換言すると、グロメット本体１００）を、被取付パネルの取付面に向けて押圧しながら前記取付面に固定することで、被取付パネルに取り付けられる。この状態にて、グロメット本体１００のリップ部１０９（図６及び図８を参照）が、前記取付面に密着して前記取付面との間を止水する機能を発揮する。
【００５７】
以上、本発明の実施形態に係るグロメットによれば、プロテクタ３００の後端部がグロメット本体１００の挿入口１０４に覆われないため、グロメット本体１００の中空部にプロテクタ３００を挿入する際の作業が容易になる。したがって、グロメット本体１００の中空部にプロテクタ３００を挿入する際の作業性を向上可能である。加えて、プロテクタ３００がグロメット本体１００の中空部に収容された状態にて、プロテクタ側凸部３３０が第１グロメット本体側凹部１０７に係合し、且つ、側壁部３２１の後端面３２１ａと接続部１０５の後壁の内壁面とが接触するので、グロメット本体１００の中空部からプロテクタ３００が意図せず抜けることが防止され得る。
【００５８】
更に、プロテクタ側凸部３３０が、第１プロテクタ部３１０の前壁部３１３と第２プロテクタ部３２０の側壁部３２１とを繋ぐリブ形状を有する。よって、プロテクタ側凸部３３０に、プロテクタ３００を係止する機能だけでなく、第１プロテクタ部３１０と第２プロテクタ部３２０の接続箇所を補強する機能をも持たせることができる。
【００５９】
＜他の態様＞
なお、本発明は上記各実施形態に限定されることはなく、本発明の範囲内において種々の変形例を採用できる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００６０】
例えば、上記実施形態では、アウタ４００がグロメット本体１００とは別体で設けられているが、アウタ４００を省略し、且つ、アウタ４００に相当する部分をグロメット本体１００と一体で設けてもよい。
【００６１】
また、上記実施形態では、グロメット本体１００に管状部２００が一体で接続されているが、管状部２００が接続されていなくてもよい。
【００６２】
ここで、上述した本発明に係るグロメットの特徴をそれぞれ以下（１）及び（２）に簡潔に纏めて列記する。
（１）
弾性材料から構成されると共に中空筒形状を有するグロメット本体（１００）と、前記グロメット本体の中空部に収容されるプロテクタ（３００）と、を備えたグロメットであって、
前記プロテクタ（３００）は、
前記中空部（１０３）の奥側に収容される奥側端部と、前記中空部（１０３）の開口端側に収容される開口端側端部と、収容時に前記グロメット本体に係合するプロテクタ側係合部（３３０）と、を有し、
前記グロメット本体（１００）は、
前記プロテクタ側係合部（３３０）に対して前記プロテクタの分離を規制する規制力を及ぼすグロメット本体側係合部（１０７）を有し、且つ、前記開口端側端部に対して前記規制力を及ぼす構造を有さない、
グロメット。
（２）
上記（１）に記載のグロメットにおいて、
前記グロメット本体（１００）は、
屈曲した形状を有する前記中空部（１０３，１０６）を有し、
前記プロテクタ（３００）は、
前記中空部の形状に沿って屈曲箇所から一方側に延びる第１プロテクタ部（３１０）と、前記屈曲箇所から他方側に延びる第２プロテクタ部（３２０）と、を有し、
前記プロテクタ側係合部（３３０）は、
前記第１プロテクタ部（３１０）の外壁面と前記第２プロテクタ部（３２０）の外壁面とを繋ぐリブ状の形状を有する、
グロメット。
【符号の説明】
【００６３】
１００    グロメット本体
１０３    第１中空部（中空部）
１０４    挿入口
１０６    第２中空部（中空部）
１０７    第１グロメット本体側凹部（グロメット本体側係合部）
３００    プロテクタ
３１０    第１プロテクタ部
３２０    第２プロテクタ部
３３０    プロテクタ側凸部（プロテクタ側係合部）
【図１】
2018185950.tif 000003
【図２】
2018185950.tif 000004
【図３】
2018185950.tif 000005
【図４】
2018185950.tif 000006
【図５】
2018185950.tif 000007
【図６】
2018185950.tif 000008
【図７】
2018185950.tif 000009
【図８】
2018185950.tif 000010